(57)【要約】【課題】複数のバッテリセルがハウジングの内側で揺れないようにする。【解決手段】少なくとも一つのバッテリセルと、上記バッテリセルが収容されるように底部および側壁部からなるハウジングと、上記バッテリセルを覆い上記ハウジングの上部に結合されたカバーとを備え、上記カバーには、上記バッテリセルと上記ハウジングとの間の隙間に結合されて、上記バッテリセルが揺れないようにする結合部が形成されたバッテリパックが提供される。【選択図】図５
2011249309.tif 000002
【特許請求の範囲】
【請求項１】
少なくとも一つのバッテリセルを含むバッテリモジュールと、
前記少なくとも一つのバッテリセルを収容し、底部および前記底部から延びた複数の側壁部を含むハウジングと、
前記バッテリモジュールを覆い、本体を有するカバーと、
前記側壁部のうち、少なくとも何れか一つとバッテリモジュールとの間に位置した結合部とを備えてなることを特徴とするバッテリパック。
【請求項２】
前記結合部は、前記本体から遠ざかる方向に延びたことを特徴とする請求項１に記載のバッテリパック。
【請求項３】
前記結合部は、前記側壁部のうち、何れか一つの長さの１％〜２０％の長さを有することを特徴とする請求項１または２に記載のバッテリパック。
【請求項４】
前記結合部は、前記側壁部のうち、何れか一つと前記バッテリモジュールとに接触することを特徴とする請求項１〜３のいずれか１項に記載のバッテリパック。
【請求項５】
前記結合部は、前記底部に向かって順次狭く細くなることを特徴とする請求項１〜４のいずれか１項に記載のバッテリパック。
【請求項６】
前記結合部は、終端が平らであることを特徴とする請求項５に記載のバッテリパック。
【請求項７】
前記結合部は、前記バッテリモジュールの３個の側部に対応して形成されたことを特徴とする請求項１に記載のバッテリパック。
【請求項８】
前記ハウジングに接続した上部カバーをさらに備え、
前記カバーは、前記上部カバーと前記バッテリモジュールとの間に位置することを特徴とする請求項１に記載のバッテリパック。
【請求項９】
前記側壁部は、複数の補助結合溝を有し、
前記カバーは、複数の補助結合部をさらに備え、
前記各々の補助結合部は、前記補助結合溝に結合されることを特徴とする請求項１に記載のバッテリパック。
【請求項１０】
前記本体と前記結合部とは、分離された部品であることを特徴とする請求項１に記載のバッテリパック。
【請求項１１】
前記結合部の横断面は、四角形、楕円形または円形であることを特徴とする請求項１に記載のバッテリパック。
【請求項１２】
前記側壁部と前記底部との間の角度は、９０゜より大きいことを特徴とする請求項１に記載のバッテリパック。
【請求項１３】
前記側壁部と前記底部との間の角度は、９１゜〜９５゜であることを特徴とする請求項１に記載のバッテリパック。
【請求項１４】
前記少なくとも一つのバッテリセルは、複数のバッテリセルを備え、
前記バッテリモジュールは、
前記バッテリセルを互いに電気的に接続するために隣接した前記バッテリセルの間に延びた複数のバスバーを備え、
前記カバーは、前記バスバーの各々と接触する複数のバスバー固着部を備えることを特徴とする請求項１に記載のバッテリパック。
【請求項１５】
各々のバスバー固着部は、前記底部から遠ざかる方向に延びた上部突起、および前記上部突起に対して直角方向に延びた中間突起を備えることを特徴とする請求項１４に記載のバッテリパック。
【請求項１６】
前記カバーは、複数のガス放出ガイドを有し、各々のガス放出ガイドは、前記バッテリセルの各々と対応することを特徴とする請求項１に記載のバッテリパック。
【請求項１７】
前記結合部は、前記本体の周りに沿って連続的に形成されたことを特徴とする請求項１に記載のバッテリパック。
【請求項１８】
前記結合部は、Ｕ字状であることを特徴とする請求項１７に記載のバッテリパック。
【請求項１９】
前記結合部は、少なくとも一つのウェッジであることを特徴とする請求項１に記載のバッテリパック。
【請求項２０】
前記少なくとも一つのウェッジは、複数のウェッジを備え、
前記ウェッジは、前記バッテリモジュールの周りに沿って互いに離隔して位置したことを特徴とする請求項１９に記載のバッテリパック。
【発明の詳細な説明】
【技術分野】
【０００１】
本発明の一実施形態は、バッテリパックに関する。
【背景技術】
【０００２】
一般的に、複数のバッテリセルを有する中型バッテリパックは、電気自転車または電気モータサイクルなどの電源装置として主に利用される。上記バッテリパックは、複数の充電可能なバッテリセルと、上記複数のバッテリセルを収容するハウジングと、上記複数のバッテリセルをモニタリングするＢＭＳ（Ｂａｔｔｅｒｙ  Ｍｏｎｉｔｏｒｉｎｇ  Ｓｙｓｔｅｍ）基板などからなる。
【０００３】
ここで、上記バッテリセルは、主にリチウムイオン電池、リチウムポリマー電池またはリチウムイオンポリマー電池でありえ、上記ハウジングは、重量減少のためにプラスチック射出物からなることができる。共に、上記ＢＭＳ基板は、上記バッテリセルに電気的に接続されて、上記バッテリセルの充放電を制御し、容量を計算し、また外部装置（充電器または負荷）に電気的に接続されることができるようにコネクタを有する。
【発明の概要】
【発明が解決しようとする課題】
【０００４】
本発明の一実施形態は、複数のバッテリセルがハウジングの内側で揺れないようにしたバッテリパックを提供する。
【課題を解決するための手段】
【０００５】
上述の目的を達成するために、本発明の一実施形態にかかるバッテリパックは、少なくとも一つのバッテリセルを含むバッテリモジュールと、前記少なくとも一つのバッテリセルを収容し、底部および前記底部から延びた複数の側壁部を含むハウジングと、前記バッテリモジュールを覆い、本体を有するカバーと、前記側壁部のうち、少なくとも何れか一つとバッテリモジュールとの間に位置した結合部とを備える。
【０００６】
前記結合部は、前記本体から遠ざかる方向に延びる。
【０００７】
前記結合部は、前記側壁部のうち、何れか一つの長さの１％〜２０％の長さを有する。
【０００８】
前記結合部は、前記側壁部のうち、何れか一つと前記バッテリモジュールとに接触する。
【０００９】
前記結合部は、前記底部に向かって順次狭く細くなる。前記結合部は、終端が平らである。
【００１０】
前記結合部は、前記バッテリモジュールの３個の側部に対応して形成される。
【００１１】
前記ハウジングに接続した上部カバーをさらに備え、前記カバーは、前記上部カバーと前記バッテリモジュールとの間に位置する。
【００１２】
前記側壁部は、複数の補助結合溝を有し、前記カバーは、複数の補助結合部をさらに備え、前記各々の補助結合部は、前記補助結合溝に結合される。
【００１３】
前記本体と前記結合部とは、分離された部品である。
【００１４】
前記結合部の横断面は、四角形、楕円形または円形である。
【００１５】
前記側壁部と前記底部との間の角度は、９０゜より大きい。
【００１６】
前記側壁部と前記底部との間の角度は、９１゜〜９５゜である。
【００１７】
前記少なくとも一つのバッテリセルは、複数のバッテリセルを備え、前記バッテリモジュールは、前記バッテリセルを互いに電気的に接続するために隣接した前記バッテリセルの間に延びた複数のバスバーを備え、前記カバーは、前記バスバーの各々と接触する複数のバスバー固着部を備える。各々のバスバー固着部は、前記底部から遠ざかる方向に延びた上部突起、および前記上部突起に対して直角方向に延びた中間突起を備える。
【００１８】
前記カバーは、複数のガス放出ガイドを有し、各々のガス放出ガイドは、前記バッテリセルの各々と対応する。
【００１９】
前記結合部は、前記本体の周りに沿って連続的に形成される。前記結合部は、Ｕ字状である。
【００２０】
前記結合部は、少なくとも一つのウェッジである。前記少なくとも一つのウェッジは、複数のウェッジを備え、前記ウェッジは、前記バッテリモジュールの周りに沿って互いに離隔して位置する。
【発明の効果】
【００２１】
バッテリパックのプラスチックハウジングは、射出作業時に金型から容易に分離されるように、ハウジングの側壁部に抜き勾配（ｄｒａｆｔ）が適用される。すなわち、ハウジングの底部と側壁部とは、９０゜の角度ではない略９１゜〜９５゜の角度をもって形成される。そのため、ハウジングの側壁部とバッテリセルとの間には、隙間または離隔空間が自然に形成されるが、このような隙間または離隔空間によって、バッテリセルがハウジングの内側で揺れやすい。
【００２２】
しかしながら、本発明では、ハウジングの側壁部とバッテリセルとの間の隙間または離隔空間に結合部が結合されることによって、ハウジングの内部でバッテリセルが揺れないようになる。すなわち、複数のバッテリセルが結合部に強く密着されることによって、バッテリセルがハウジングの内部で揺れないようになる。
【図面の簡単な説明】
【００２３】
【図１】本発明の一実施形態にかかるバッテリパックを示す斜視図である。
【図２】本発明の一実施形態にかかるバッテリパックのうち、上部カバーおよび前方カバーを除去した状態の斜視図である。
【図３】本発明の一実施形態にかかるバッテリパックのうち、ＢＭＳ基板およびコネクタを除去した状態の斜視図である。
【図４】本発明の一実施形態にかかるバッテリパックのうち、ミドルカバーおよびエンド・プレートを除去した状態の斜視図である。
【図５】図１の縦断面図である。
【図６】図５の６領域を拡大して図示した拡大断面図である。
【図７Ａ】ミドルカバーに形成された結合部の他の例を示す断面図である。
【図７Ｂ】ミドルカバーに形成された結合部の他の例を示す断面図である。
【図８】本発明の一実施形態にかかるバッテリパックのうち、ミドルカバーの底面を示す斜視図である。
【図９】本発明の一実施形態にかかるバッテリパックのうち、ミドルカバーの補助結合部とハウジングの補助結合溝との間の結合関係を示す拡大図である。
【図１０】本発明の他の実施形態にかかるバッテリパックのうち、バッテリセルとハウジングとの間に結合される結合部を示す断面図である。
【図１１Ａ】結合部の他の例を示す断面図である。
【図１１Ｂ】結合部の他の例を示す断面図である。
【図１１Ｃ】結合部の他の例を示す断面図である。
【図１１Ｄ】結合部の他の例を示す断面図である。
【図１２】本発明の一実施形態にかかるバッテリパックのうち、ハウジングの底部と側壁部との間の関係を誇張して示す断面図である。
【図１３】本発明の他の実施形態にかかるバッテリパックのうち、ミドルカバーの底面を示す斜視図である。
【図１４】ミドルカバーに形成された結合部の他の例を示す断面図である。
【図１５】本発明の他の実施形態にかかるバッテリパックのうち、バッテリセルとハウジングとの間に結合される結合部またはウェッジ（ｗｅｄｇｅ）を示す断面図である。
【図１６】本発明の他の実施形態にかかるバッテリパックのうち、バッテリセルとハウジングとの間に結合される結合部またはウェッジ（ｗｅｄｇｅ）を示す断面図である。
【発明を実施するための形態】
【００２４】
以下、本発明の属する技術分野における通常の知識を有した者が本発明を容易に実施できる程度に本発明の好ましい実施形態を、添付された図面を参照して詳細に説明すると、以下のとおりである。なお、本明細書および図面において、実質的に同一の機能構成を有する構成要素については、同一の符号を付することにより重複説明を省略する。
【００２５】
図１は、本発明の一実施形態にかかるバッテリパックを示す斜視図である。
【００２６】
図１に示すように、本発明の一実施形態にかかるバッテリパック１００は、内部に複数のバッテリセルを収容するハウジング１１０、上記ハウジング１１０の上部を覆う上部カバー１２０、および上記ハウジング１１０の前方を覆う前方カバー１３０を備える。
【００２７】
ここで、上記ハウジング１１０の外側表面には、ハウジング１１０の強度を強化するために外側に突出した複数の補強部１１３が形成されることができる。また、上記上部カバー１２０は、複数のボルト１２１により上記ハウジング１１０に結合され、上記前方カバー１３０も、複数のボルト１３１により上記ハウジング１１０に結合される。なお、上記前方カバー１３０には、外部装置（充電器または負荷）に電気的に接続するコネクタ１３２が備えられることができる。さらに、上記前方カバー１３０には、バッテリパック１００を所持しやすくする取っ手１３３が結合されることができ、また取っ手１３３の収容される取っ手収容溝１３４も形成されることができる。
【００２８】
図２は、本発明の一実施形態にかかるバッテリパックのうち、上部カバーおよび前方カバーを除去した状態の斜視図である。
【００２９】
図２に示すように、本発明の一実施形態にかかるバッテリパックのうち、ハウジング１１０は、一つの底部１１１と、上記底部１１１に接続した３個の側壁部１１２とを備える。
【００３０】
ここで、上記３個の側壁部１１２は、上記底部１１１の３個のエッジから上部に一定の長さが延びて形成される。したがって、複数のバッテリセルは、上記１個の底部１１１と３個の側壁部１１２とがなす内部空間に収容される。また、上記ハウジング１１０は、前方と上部とが開放されている。
【００３１】
上記３個の側壁部１１２の上端に沿っては、上部カバー１２０の結合される上部結合部１１５が一定の長さに突出している。なお、上記ハウジング１１０の上部、すなわち、上部結合部１１５の内側には、ミドルカバー１４０が位置しており、このようなミドルカバー１４０とハウジング１１０とがなす内部空間に複数のバッテリセルが位置する。上記ミドルカバー１４０は、略板状の本体１４１と、上記本体１４１に形成されて複数のバスバー１７４が固着されるバスバー固着部１４２と、上記本体１４１に形成され、上記バッテリセルの安全ベントと対応する位置に形成されたガス放出ガイド１４３とを備える。ここで、上記バスバー１７４は、隣接するバッテリセルの端子１７１を相互間電気的に接続する機能を果たす。なお、複数のバスバー１７４のうち、特定バスバー１７４には、電源線１６１ａ、１６１ｂの一端が接続される。
【００３２】
一方、上記ハウジング１１０の前方には、エンド・プレート１５０およびＢＭＳ基板１６０が位置する。上記ＢＭＳ基板１６０には、上記電源線１６１ａ、１６１ｂの他端が接続される。また、上記ＢＭＳ基板１６０には、コネクタ１３２が機構的に接続され、また上記コネクタ１３２もまた他の電源線１６２ａ、１６２ｂにより上記ＢＭＳ基板１６０に電気的に接続される。なお、図示していないが、上記ＢＭＳ基板１６０には、バッテリセルの充放電を制御し、容量を計算するための複数の電子部品が実装される。また、上記ＢＭＳ基板１６０は、複数のボルト１６３により上記ハウジング１１０に結合される。
【００３３】
図３は、本発明の一実施形態にかかるバッテリパックのうち、ＢＭＳ基板およびコネクタを除去した状態の斜視図である。
【００３４】
図３に示すように、ハウジング１１０の前方には、エンド・プレート１５０が結合されている。上記エンド・プレート１５０は、複数のバッテリセルをハウジング１１０の側壁部１１２に強く密着させる機能を果たす。特に、上記エンド・プレート１５０は、複数のバッテリセルを上記エンド・プレート１５０と対向しているハウジング１１０の側壁部１１２に密着させる機能を果たす。
【００３５】
また、上記エンド・プレート１５０には、重量を減少させるための複数のホール１５１が形成されている。このようなエンド・プレート１５０も、複数のボルト１５２により上記ハウジング１１０に結合される。
【００３６】
図４は、本発明の一実施形態にかかるバッテリパックのうち、ミドルカバーおよびエンド・プレートを除去した状態の斜視図である。
【００３７】
図４に示すように、複数のバッテリセル１７０が水平方向にスタックされたまま、上記ハウジング１１０の底部１１１および側壁部１１２がなす内部空間に収容されている。各々のバッテリセル１７０は、上部に少なくとも一つの端子１７１が形成されている。また、各々のバッテリセル１７０は、上部に相対的に厚さの薄い安全ベント１７２および電解液の注液口を封止するプラグ１７３が形成されている。
【００３８】
上記バッテリセル１７０のうち、下面は、上記ハウジング１１０の底部１１１に密着される。また、上記バッテリセル１７０のうち、狭い両側の側面は、ハウジング１１０の対向する側壁部１１２にそれぞれ密着される。また、上記バッテリセル１７０のうち、最も後側のバッテリセル１７０は、広い側面が最も後側の側壁部１１２に密着される。
【００３９】
図５は、図１の縦断面図である。
【００４０】
図５に示すように、ハウジング１１０は、底部１１１と、上記底部１１１の周りから接続されて、上部に一定の長さだけ延びた側壁部１１２とを備える。また、上記底部１１１と上記側壁部１１２との外部表面には、ハウジング１１０の強度を補強するための複数の補強部１１３が外側方向に突出して形成されている。さらに、上記側壁部１１２の上端には、大略外側の水平方向に一定の長さが拡張された拡張部１１４がさらに形成されており、上記拡張部１１４には、上部に一定の長さが突出して上部カバー１２０に結合される上部結合部１１５が形成されている。
【００４１】
一方、上述したように、上記ハウジング１１０の底部１１１と側壁部１１２とがなす内部空間には、バッテリセル１７０が収納される。また、上述したように、各々のバッテリセル１７０は、上部に突出した少なくとも一つの端子１７１を備え、上記各端子１７１には、バスバー１７４が結合されている。
【００４２】
上記ハウジング１１０および上記バッテリセル１７０の上部には、ミドルカバー１４０が結合されている。すなわち、ハウジング１１０と上部カバー１２０との間には、上記バッテリセル１７０を実質的に覆うミドルカバー１４０が結合されている。上記ミドルカバー１４０は、略上記ハウジング１１０の側壁部１１２と、上記バッテリセル１７０との間の隙間または離隔空間Ｓに結合される結合部１４４とをさらに備える。すなわち、上記ミドルカバー１４０には、下部に向かって上記ハウジング１１０の側壁部１１２と上記バッテリセル１７０との間の隙間または離隔空間Ｓに挟まれて、上記バッテリセル１７０の揺れを防止する結合部１４４がさらに形成されている。
【００４３】
また、上記ミドルカバー１４０には、内部に中空を有するバスバー固着部１４２が形成されているが、これは、上部突起１４２ａと内部中間突起１４２ｂと備える。上記内部中間突起１４２ｂの下部には、端子１７１に結合された下部ナット１７１ａが位置し、上記内部中間突起１４２ｂの上部には、端子１７１に結合されたバスバー１７４および上部ナット１７１ｂが位置する。したがって、上記バスバー１７４および上部ナット１７１ｂにより上記ミドルカバー１４０が上記ハウジング１１０および上記バッテリセル１７０の上部に固定されることもある。なお、上記ミドルカバー１４０には、内部に中空を有するガス放出ガイド１４３も形成されているが、これは、安全ベント１７２（図４参照）が開放された際にバッテリセル１７０のガスを外部に迅速に案内させる機能を果たす。
【００４４】
また、上記ハウジング１１０の拡張部１１４に形成された上部結合部１１５には、上部カバー１２０が結合される。もちろん、このために上記上部カバー１２０の周りには、互いに離隔し、かつ下部に一定の長さが延びた二重下部結合部１２２が形成される。すなわち、上記上部カバー１２０の二重下部結合部１２２に上記ハウジング１１０の上部結合部１１５が結合される。このように、上部カバー１２０に形成された二重下部結合部１２２がハウジング１１０に形成された上部結合部１１５に結合されることによって、外部の水分や異物がバッテリパック１００の内部に侵入しない。
【００４５】
図６は、図５の６領域を拡大して図示した拡大断面図である。
【００４６】
図６に示すように、ハウジング１１０の側壁部１１２とバッテリセル１７０との間には隙間Ｓが存在する。上記隙間Ｓは、ハウジング１１０が金型を利用したプラスチック射出成形工法にさらに形成されるために形成される。すなわち、ハウジング１１０の射出成形後、上記ハウジング１１０が金型から容易に取り出されるように、上記ハウジング１１０の側壁部１１２に抜き勾配が適用される。このような抜き勾配が適用された側壁部１１２は、底部１１１から略９０゜以上の角度をもって形成され、これにより、側壁部１１２とバッテリセル１７０との間に隙間Ｓが自然に形成される。特に、上記側壁部１１２およびバッテリセル１７０の上部領域に上記隙間Ｓが最も大きく形成される。
【００４７】
本発明は、このように抜き勾配が適用されることによって、ハウジング１１０の側壁部１１２とバッテリセル１７０との間に形成される隙間Ｓにミドルカバー１４０の結合部１４４が結合されるようにする。したがって、ハウジング１１０の側壁部１１２とバッテリセル１７０との間の隙間Ｓが除去され、これにより、ハウジング１１０の内部でバッテリセル１７０の揺れが防止される。すなわち、バッテリセル１７０が上記ミドルカバー１４０に形成された結合部１４４に強く密着されることによって、バッテリセル１７０の揺れが抑制される。
【００４８】
このような結合部１４４は、断面形状が略直四角状に形成されることができる。また、このような結合部１４４は、下部に延びた長さが上記側壁部１１２（またはバッテリセル１７０が有する高さの略１〜２０％程度に形成されることが好ましい。上記結合部１４４の下部延長長さが側壁部１１２が有する高さの略１〜２０％程度に形成される場合、バッテリセル１７０の揺れ現象が最も效率的に抑制される。例えば、上記結合部１４４の長さが側壁部１１２が有する高さの１％未満である場合、上記結合部１４４が上記側壁部１１２とバッテリセル１７０との隙間に結合されずに離脱されうる。また、上記結合部１４４の長さが側壁部１１２が有する高さの２０％を超過する場合、上記結合部１４４が上記側壁部１１２とバッテリセル１７０との隙間によく結合されない場合もありうる。
【００４９】
また、このような結合部１４４は、厚さが上記側壁部１１２とバッテリセル１７０との間に形成された隙間の幅と同じであるか、または少し大きく形成される。実質的に上記結合部１４４の厚さは、上記隙間の幅より少しより大きく形成されることによって、上記結合部１４４が上記隙間に焼嵌め形態で結合される。したがって、上記バッテリセル１７０は、上記結合部１４４によりさらに強く密着され、これにより、バッテリセル１７０の揺れがさらに效率的に抑制される。
【００５０】
図７Ａおよび図７Ｂは、ミドルカバーに形成された結合部の他の例を示す断面図である。
【００５１】
図７Ａおよび図７Ｂに示すように、ミドルカバー２４０、３４０の結合部２４４、３４４は、断面の形態が大略逆台形の形態または大略概略逆三角の形態に形成されることができる。すなわち、結合部２４４、３４４の厚さは、上部から下部へ行くほど順次薄くなる形態に形成されることができる。したがって、結合部２４４、３４４は、ハウジング１１０の側壁部１１２とバッテリセル１７０との間の隙間に容易にガイドされる。言い換えれば、結合部２４４、３４４の下端が上端に比べて薄く形成されていることによって、上記結合部１４４の下端が上記隙間に容易に挟まれる。
【００５２】
図８は、本発明の一実施形態にかかるバッテリパックのうち、ミドルカバーの底面を示す斜視図である。
【００５３】
図８に示すように、結合部１４４は、ミドルカバー１４０の本体１４１のうち、周りに沿って形成される。例えば、上記結合部１４４は、本体１４１の少なくとも３方向の周りに沿って形成されることができる。したがって、このような結合部１４４は、ハウジングの少なくとも３方向の側壁部とバッテリセルとの間に形成される３方向の隙間に結合される。また、上記結合部１４４の内側領域である本体１４１には、複数の中空を有するバスバー固着部１４２、および中空を有するガス放出ガイド１４３が形成される。
【００５４】
一方、上記結合部１４４の外側には、大略三角形態の補助結合部１４５がさらに形成される。すなわち、上記結合部１４４の長さ方向に大略垂直方向に補助結合部１４５がさらに形成される。このような補助結合部１４５は、一定ピッチを有して形成されることができ、またハウジング１１０の側壁部１１２に備えられた補助結合溝１１６（図９参照）に結合される。
【００５５】
図９は、本発明の一実施形態にかかるバッテリパックのうち、ミドルカバーの補助結合部とハウジングの補助結合溝との間の結合関係を示す拡大図である。
【００５６】
図９に示すように、ミドルカバー１４０は、結合部１４４の外側に略三角形態の補助結合部１４５がさらに形成され、このような補助結合部１４５は、ハウジング１１０の側壁部１１２に形成された補助結合溝１１６に結合される。したがって、本発明は、ミドルカバー１４０の結合部１４４がハウジング１１０の側壁部１１２とバッテリセル１７０との間の隙間に結合されるだけでなく、ミドルカバー１４０の補助結合部１４５がハウジング１１０の側壁部１１２に形成された補助結合溝１１６に結合されることによって、ハウジング１１０とミドルカバー１４０との間の結合強度がより向上する。
【００５７】
図１０は、本発明の他の実施形態にかかるバッテリパックのうち、バッテリセルとハウジングとの間に結合される結合部を示す断面図である。
【００５８】
図１０に示すように、本発明の他の実施形態は、結合部４４４がミドルカバー４４０と一体に形成されずに分離されて形成されることもできる。したがって、ハウジング１１０の側壁部１１２とバッテリセル１７０との間の隙間に上記分離された結合部４４４がまず結合され、その上にミドルカバー４４０が固着される。また、上記分離された結合部４４４も、断面形態が一定の長さを有する直四角形態に形成されることができる。上記分離された結合部４４４の長さおよび幅は、上述したものと同様なので、これについての説明は省略する。
【００５９】
図１１Ａ〜図１１Ｄは、結合部の他の例を示す断面図である。
【００６０】
図１１Ａ〜図１１Ｄに示すように、分離された結合部５４４、６４４、７４４、８４４は、逆台形形態、逆三角形態、円、楕円などの形態に形成されることができる。ここで、上記逆台形形態または逆三角形態の結合部５４４、６４４は、ハウジング１１０とバッテリセル１７０との間の隙間にさらに容易に挟まれることができる。
【００６１】
図１２は、本発明の一実施形態にかかるバッテリパックのうち、ハウジングの底部と側壁部との間の関係を誇張して示す断面図である。
【００６２】
図１２に示すように、ハウジング１１０は、底部１１１と側壁部１１２とが９０゜ではない略９１゜〜９５゜の角度をもって形成される。すなわち、バッテリパック１００のハウジング１１０は、射出成形作業時に金型から容易に分離されるように、ハウジング１１０の側壁部１１２に抜き勾配が適用されるが、このような抜き勾配値は、通常１゜〜５゜が適用されるためである。したがって、ハウジング１１０の側壁部１１２は、上部に行くほど水平な外側方向に傾斜した形態を有する。これにより、ハウジング１１０の側壁部１１２とバッテリセル１７０との間には、自然に隙間が形成される。
【００６３】
一方、上記ハウジング１１０は、プラスチック樹脂が金型から射出成形されてなる。このようなプラスチック樹脂は、ＡＢＳ（Ａｃｒｙｌｏｎｉｔｒｉｌｅ−Ｂｕｔａｄｉｅｎｃｅ−Ｓｔｒｙｅｎｅ）、ＰＡ（Ｐｏｌｙａｍｉｄｅ）、ＰＣ（ＰｏｌｙＣａｒｂｏｎａｔｅ）、ＰＣＴＦＥ（Ｐｏｌｙｃｈｌｏｒｏｔｒｉｆｌｕｏｒｏｅｔｈｙｌｅｎｅ）、ＰＤＡＰ（Ｐｏｌｙ  ＤｉＡｌｌｙｌ  Ｐｈｔｈａｌａｔｅ）、ＰＥ（Ｐｏｌｙ  Ｅｔｈｙｌｅｎｅ）、ＰＥＴＰ（Ｐｏｌｙ  Ｅｔｈｙｌｅｎｅ  ＴｅｒｅＰｈｔｈａｌａｔｅ）、ＰＦ（Ｐｈｅｎｏｌ−Ｆｏｒｍａｌｄｅｈｙｄｅ）、ＰＩＢ（Ｐｏｌｙｉｓｏｂｕｔｙｌｅｎｅ）、ＰＭＭＡ（Ｐｏｌｙ  Ｍｅｔｈｌ  ＭｅｔｈａｃｒｙｌＡｔｅ）、ＰＯＭ（Ｐｏｌｙｏｘｙｍｅｔｈｙｌｅｎｅ；Ｐｏｌｙｆｏｒｍａｌｄｅｈｙｄｅ）、ＰＰ（ＰｏｌｙＰｒｏｐｙｌｅｎｅ）、ＰＳ（ＰｏｌｙＳｔｙｒｅｎｅ）、ＰＴＦＥ（ＰｏｌｙＴｅｔｒａＦｌｕｏｒｏＥｔｈｙｌｅｎｔｅ）、ＰＵＲ（Ｐｏｌｙｕｒｅ  ｔｈａｎｅ）、ＰＶＡＣ（Ｐｏｌｙ  Ｖｉｎｙｌ  Ａｃｅｔａｔｅ）、ＰＶＡＬ（Ｐｏｌｙ  Ｖｉｎｙｌ  Ａｌｃｏｌｈｏｌ）、ＰＶＢ（Ｐｏｌｙ  Ｖｉｎｙｌ  Ｂｕｔｙｒａｌ）、ＰＶＣ（Ｐｏｌｙ  Ｖｉｎｙｌ  Ｃｈｌｏｒｉｄｅ）、ＰＶＣＡ（Ｐｏｌｙ  Ｖｉｎｙｌ  Ｃｈｌｏｒｉｄｅ  Ａｃｅｔａｔｅ）、ＰＶＤＣ（Ｐｏｌｙ  ＶｉｎｙｌｉＤｅｎｅ  Ｃｈｌｏｒｉｄｅ）、ＰＶＦ（Ｐｏｌｙ  Ｖｉｎｙｌ  Ｆｌｕｏｒｉｄｅ）、ＰＶＦＭ（Ｐｏｌｙ  Ｖｉｎｙｌ  ＦｏｒＭａｌ）およびその等価物の中から選択された何れか一つが利用されることができ、本発明において、このようなハウジング１１０の材料は限定されない。
【００６４】
図１３は、本発明の他の実施形態にかかるバッテリパックのうち、ミドルカバーの底面を示す斜視図である。
【００６５】
図１３に示すように、ミドルカバー９４０は、互いに離隔される複数の結合部９４４を備える。すなわち、上記結合部９４４は、上記ミドルカバー９４０の本体１４１の少なくとも３方向の周りに大略形成される。ここで、上記結合部９４４は、互いに分離または離隔されて形成される。したがって、ギャップ（ｇａｐ）またはスペース（ｓｐａｃｅ）が隣接した結合部９４４の間に形成される。ここで、上記結合部の各々は、補助結合部１４５を備えることができる。
【００６６】
たとえ図１３では上記ミドルカバー９４０の本体１４１から延びる結合部９４４が示されているとしても、上記結合部９４４は、上記本体１４１から分離されて形成されることもできる。
【００６７】
このようにして、上記結合部９４４は、ハウジングの各側壁部とバッテリセルとの間に形成される隙間に結合され、これにより、ハウジングの内側でバッテリセルの揺れが防止される。
【００６８】
図１４は、ミドルカバーに形成された結合部の他の例を示す断面図である。
【００６９】
図１４に示すように、結合部１１４４は、自身の表面に形成された複数の突起、凹凸またはエンボス領域１１４４ａを備える。
【００７０】
上記複数の突起、凹凸またはエンボス領域１１４４ａは、上記結合部１１４４から突出して形成され、したがって上記結合部１１４４が側壁部１１２とバッテリセル１７０との間の空間Ｓによりより強く密着される。
【００７１】
たとえ図１４ではミドルカバー１１４０の本体１１４１から延びて形成された結合部１１４４が示されているとしても、結合部１１４４は、上記本体１１４１から分離されて形成されることもできる。
【００７２】
図１５は、本発明の他の実施形態にかかるバッテリパックのうち、バッテリセルとハウジングとの間に結合される結合部またはウェッジ（ｗｅｄｇｅ）を示す断面図である。
【００７３】
図１５に示すように、結合部１２４４は、ミドルカバーの本体から分離されて形成されたウェッジでありうる。例えば、上記結合部１２４４は、下に行くほど薄くなるウェッジでありうる。このような結合部１２４４は、ハウジングの側壁部およびバッテリセル間の隙間に結合される複数のウェッジでありうる。したがって、複数の結合部またはウェッジ１２４４は、ハウジングの内側に位置したバッテリセルの揺れ現象を防止できる。
【００７４】
図１６は、本発明の他の実施形態にかかるバッテリパックのうち、バッテリセルとハウジングとの間に結合される結合部またはウェッジを示す断面図である。
【００７５】
図１６に示すように、結合部１３４４は、下に行くほど薄くなる第１領域１３４４ａ、上記第１領域１３４４ａから水平方向に突出し、下に行くほど薄くなる第２領域１３４４ｂからなるウェッジでありうる。上記結合部１３４４は、上記ハウジングの側壁部およびバッテリセル間の隙間に結合される複数の結合部またはウェッジでありうる。特に、各々の結合部またはウェッジ１３４４は、第１領域１３４４ａから水平方向に突出した第２領域１３４４ｂを備える。したがって、一旦結合部またはウェッジ１３４４が上記ハウジングの側壁部とバッテリセルとの間の隙間に結合されると、上記結合部またはウェッジ１３４４が上記隙間から容易に分離されず、したがってハウジング内側でバッテリセルの揺れ現象が防止される。
【００７６】
また、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７７】
１００：バッテリパック
１１０：ハウジング
１１１：底部
１１２：側壁部
１１３：補強部
１１４：拡張部
１１５：上部結合部
１１６：補助結合溝
１２０：上部カバー
１２２：二重下部結合部
１３０：前方カバー
１３２：コネクタ
１３３：取っ手
１３４：取っ手溝
１４０：ミドルカバー
１４１：本体
１４２：バスバー固着部
１４２ａ：上部突起
１４２ｂ：内部中間突起
１４３：ガス放出ガイド
１４４：結合部
１４５：補助結合部
１５０：エンド・プレート
１５１：ホール
１６０：ＢＭＳ基板
１６１、１６２：電源線
１６３：ボルト
１７０：バッテリセル
１７１：端子
１７１ａ、１７１ｂ：ナット
１７２：安全ベント
１７３：プラグ
１７４：バスバー
【図１】
2011249309.tif 000003
【図２】
2011249309.tif 000004
【図３】
2011249309.tif 000005
【図４】
2011249309.tif 000006
【図５】
2011249309.tif 000007
【図６】
2011249309.tif 000008
【図７Ａ】
2011249309.tif 000009
【図７Ｂ】
2011249309.tif 000010
【図８】
2011249309.tif 000011
【図９】
2011249309.tif 000012
【図１０】
2011249309.tif 000013
【図１１Ａ】
2011249309.tif 000014
【図１１Ｂ】
2011249309.tif 000015
【図１１Ｃ】
2011249309.tif 000016
【図１１Ｄ】
2011249309.tif 000017
【図１２】
2011249309.tif 000018
【図１３】
2011249309.tif 000019
【図１４】
2011249309.tif 000020
【図１５】
2011249309.tif 000021
【図１６】
2011249309.tif 000022